(57)【要約】      （修正有）【課題】簡単な改修により、その一部からベビーリングを作り出すことが可能なマリッジリングを提供する。【解決手段】内側リング２の外周溝に外側リング３が取り付けられた二重のマリッジリング１であり、内側リング２と外側リング３とは固定ピンで固定されている。固定ピンは外側リング３と内側リング２とを貫く貫通孔に挿入された状態で抜けないように一端が内側リング２に溶接され、他端が外側リング３と係止されている。固定ピンの材質は内側リング２材質と同一であり、外側リング３には装飾部材４が取り付けられている。外側リング３は内側リング２から取り外して加工することによりベビーリングになる。【選択図】図２
2018191808.tif 000002
【特許請求の範囲】
【請求項１】
外周側に環状の外周溝(2a)を有した内側リング(2)と、
該外周溝(2a)に嵌まり込むように該内側リング(2)の外周側に配された外側リング(3)と、
該内側リング(2)と該外側リング(3)とを固定する固定ピン(6)を備えた指輪(1)であって、
該外側リング(3)の外周側から該内側リング(2)の内周側まで貫通する通孔(2b)，(3a)が設けられており、
該通孔(2b)，(3a)に該固定ピン(6)が挿入されており、
該固定ピン(6)の一方の端部(6b)は内側リング(2)に溶接されており、該固定ピン(6)の他方の端部(6a)は外側リング(3)に係止されており、
該固定ピン(6)の材質は該内側リング(2)の材質と同一であり、
該外側リング(3)の外周側には該通孔(3a)の反対側となる箇所に少なくとも装飾部材(4)又は宝石(5)のいずれかが取り付けられている
ことを特徴とする指輪(1)。
【発明の詳細な説明】
【技術分野】
【０００１】
本発明は、一部を分離してベビーリング等とすることが可能なマリッジリング，エンゲージリング等の指輪に関するものである。
【背景技術】
【０００２】
結婚の際に二人の愛の証しとして夫婦でマリッジリング（結婚指輪）を交換するという習慣がある。また、婚約の際に男性から女性にエンゲージリング（婚約指輪）を贈ることもよく行われる。
【０００３】
夫婦にとって想いのこもった指輪とするために、実用新案登録第３０３６６０３号公報に提案されているように、メッセージ，夫婦のイニシャル，記念日などをマリッジリングに刻印することも多い。
【０００４】
夫婦間に子が生まれると家族としての絆が生まれるが、マリッジリングはもともと夫婦間の愛の証しであり、子も含めた家族の愛を示す証しとしての意味合いは乏しい。せっかくのマリッジリングが夫婦間の愛の証しだけにとどまってしまうのは勿体ない。そこで、込められた愛を生まれた子にも承継し、子も含めた家族の愛の証しにもなる指輪が求められる。
【０００５】
また、結婚後にマリッジリングやエンゲージリングを身につける機会が少なくなり、保管されたままになってしまうことがある。ひどい場合には宝石・金・プラチナの買い取りに出されてしまうこともある。愛や幸せの想いや願いの込められたマリッジリング等が単なるアクセサリーのように扱われるのは残念である。マリッジリング等が、いつまでも家族の絆の象徴として有効に活用されることが望まれる。
【先行技術文献】
【特許文献】
【０００６】
【特許文献１】実用新案登録第３０３６６０３号公報
【発明の概要】
【発明が解決しようとする課題】
【０００７】
本発明は、夫婦の愛の証しであるマリッジリング等から分離して作られるベビーリングを介して夫婦の愛を子に承継し、家族の愛や幸せを願う象徴とすることのできる指輪を提供することを課題とする。
【課題を解決するための手段】
【０００８】
請求項１記載の指輪(1)は、外周側に環状の外周溝(2a)を有した内側リング(2)と、該外周溝(2a)に嵌まり込むように該内側リング(2)の外周側に配された外側リング(3)と、該内側リング(2)と該外側リング(3)とを固定する固定ピン(6)を備えた指輪(1)であって、該外側リング(3)の外周側から該内側リング(2)の内周側まで貫通する通孔(2b)，(3a)が設けられており、該通孔(2b)，(3a)に該固定ピン(6)が挿入されており、該固定ピン(6)の一方の端部(6b)は内側リング(2)に溶接されており、該固定ピン(6)の他方の端部(6a)は外側リング(3)に係止されており、該固定ピン(6)の材質は該内側リング(2)の材質と同一であり、該外側リング(3)の外周側には該通孔(3a)の反対側となる位置に少なくとも装飾部材(4)又は宝石(5)のいずれかが取り付けられていることを特徴とする。
【０００９】
これによれば、内側リング(2)と、その外周側に位置する外側リング(3)とから成るデザイン性の高い二重のマリッジリング（結婚指輪）とすることができ、固定ピン(6)により外側リング(3)が内側リング(2)から外れてしまうことを防止できる。そして、固定ピン(6)の周囲を切除すれば外側リング(3)を内側リング(2)から取り外すことができ、サイズ調整などを行うことにより外側リング(3)をベビーリング(30)に作り替えることができる。母親が常に身についていたマリッジリング(1)の一部を分離させてベビーリング(30)とすることができるため、母親の中から生まれてきた赤ちゃんとイメージを重ね合わせることができ想いのこもった記念品となる。
【００１０】
また、固定ピン(6)の材質は内側リング(2)の材質と同一なので、両者の色や質感は同じとなる。そのため、内側リング(2)に露出した固定ピン(6)の先端部分(6b)が目立たず、デザイン的に違和感がない。また、ベビーリング(30)を作るために外側リング(3)を外した際にも、内側リング(2)の外周溝(2a)に露出する固定ピン(6)の断面が目立たない。
【００１１】
更に、外側リング(3)には少なくとも装飾部材(4)又は宝石(5)のいずれかが取り付けられているので、外側リング(3)をベビーリング(30)に加工することにより、装飾部材(4)又は宝石(5)のいずれか、又は両方が付いた意匠性の高いベビーリング(30)とすることができる。
【発明の効果】
【００１２】
本発明によればデザイン的に優れた二重リングのマリッジリング等の指輪の一部を、簡単な加工でベビーリングに改修することができるので、赤ちゃんが誕生したときに想いのこもった記念品とすることができる。そして、マリッジリング等にこめられた夫婦の永遠の愛を願う気持ちがベビーリングを介して赤ちゃんにも受け継がれ、家族の幸せを願う象徴となる。
【図面の簡単な説明】
【００１３】
【図１】実施例１の指輪を示した図。
【図２】実施例１の指輪の斜視図。
【図３】実施例１のリング固定部分の断面図。
【図４】実施例１のリング固定の工程を説明する断面図。
【図５】外側リングの取外加工の一例を説明する図。
【図６】外側リングの取外加工の一例を説明する図。
【図７】外側リングの取外加工の一例を説明する図。
【図８】取り外した外側リングを示した図。
【図９】取り外した外側リングの加工を説明する図。
【図１０】ベビーリングを示した図。
【発明を実施するための形態】
【００１４】
以下、本発明を好適な実施例を用いて説明する。
【実施例１】
【００１５】
図１は本実施例のマリッジリング(1)を示した図であり、図２はその斜視図である。この指輪(1)は指と接する内周側の内側リング(2)と、その内側リング(2)の外周側に配された外側リング(3)とからなる二重のリングである。
【００１６】
内側リング(2)と外側リング(3)の材質は特に限定されるものではないが、本実施例では内側リング(2)はプラチナ合金、外側リング(3)は金（ゴールド）の合金とした。ここで、両者を別の材質としたのは内側リング(2)と外側リング(3)の色味を変えて、デザイン的にアクセントとなるようにしたためである。もちろんデザインにより使用する材質を反対にしたり、内側リング(2)と外側リング(3)を同じ材質で作るようにしても良い。
【００１７】
内側リング(2)の外周には環状に外周溝(2a)が設けられており、この外周溝(2a)に外側リング(3)が嵌め込まれている。外側リング(3)の外周側には装飾部材(4)が取り付けられている。この外側リング(3)は後にベビーリング(30)になるため、たとえ一時的であっても赤ちゃんの指にはめることを考慮して、装飾部材(4)は鋭角のあるデザインよりも丸みのあるデザインとする方が好ましい。本実施例では子の幸せを願う親の気持ちを意識して四つ葉のクローバーをモチーフとした装飾と、デザイン性を高めるために四つ葉の真ん中に小さなダイヤモンドなどの宝石(5)を配している。もちろん装飾部材(4)のデザインはこれに限られるものではなく、他のモチーフの装飾としても良いし、モチーフを用いず小さな宝石(5)を外側リング(3)に直接取り付けるようにしてもよい。
【００１８】
内側リング(2)の内周面には顧客の希望により記念日，名前，メッセージなどの刻印(8)をあしらうことができる。
【００１９】
外側リング(3)は内側リング(2)の外周溝(2a)に嵌めただけでは、指輪(1)を指に装着中でも外側リング(3)が回ってしまう。また、外部から強い力が加わった場合は、外側リング(3)が内側リング(2)の外周溝(2a)から外れてしまうおそれもある。
【００２０】
そこで本発明では、固定ピン(6)で外側リング(3)と内側リング(2)とを固定している。図３は外側リング(3)と内側リング(2)とを固定した箇所の断面図であり、図１においてＡ−Ａ線で示した部分の断面である。
【００２１】
図４は外側リング(3)と内側リング(2)との固定の工程を説明する断面図である。内側リング(2)には外周側から内周側に貫通する通孔(2b)が設けられている。また、外側リング(3)にも外周側から内周側に貫通する通孔(3a)が設けられている。この内側リング(2)の通孔(2b)と、外側リング(3)の通孔(3a)とは連通するように位置している。すなわち、通孔(2b)と通孔(3a)により、外側リング(3)の外周側から内側リング(2)の内周側まで貫通する貫通孔が形成される。
【００２２】
本実施例では内側リング(2)の外周溝(2a)に外側リング(3)を嵌める前の段階でそれぞれ通孔(2b)と通孔(3a)を穿孔したが、外側リング(3)を内側リング(2)の外周溝(2a)に嵌めた後に、一度に外側リング(3)と内側リング(2)を貫くように穿孔しても良い。
【００２３】
外側リング(3)の通孔(3a)の外周側開口部付近は外周側に行くほど径が大きくなるような「すり鉢状」のテーパー部(3b)が形成されている。
【００２４】
外側リング(3)の外周側から通孔(3a)に固定ピン(6)を挿入する。固定ピン(6)は外側リング(3)の通孔(3a)と内側リング(2)の通孔(2b)を通って、先端部(6b)が内側リング(2)の内周面に達する。
【００２５】
固定ピン(6)の前記先端部(6b)と反対側の端には頭部(6a)が形成されている。頭部(6a)の径は通孔(3a)の径よりも大きく、上端はドーム状となっている。また、頭部(6a)の下方は先端部(6b)側に行くほど径が小さくなるようなテーパー部(6c)が形成されている。この固定ピン(6)のテーパー部(6c)は、前記の外側リング(3)の通孔(3a)に形成されたテーパー部(3b)と対応する傾き，大きさとなっている。そのため、固定ピン(6)を通孔(3a)と通孔(2b)に挿入して行くと、固定ピン(6)のテーパー部(6c)と、通孔(3a)のテーパー部(3b)とが当接し、それ以上リング内周側に侵入できなくなる。
【００２６】
固定ピン(6)の先端部(6b)は内側リング(2)の内周面に達しているので、先端部(6b)の周囲を溶接して固定ピン(6)を内側リング(2)に固定する。溶接箇所(7)の周囲は研磨し、固定ピン(6)の先端部(6b)と内側リング(2)の内周面とか面一になるように整形する。固定ピン(6)の材料は内側リング(2)の材料と同じ材料を用いた。そのため、両者の色や質感は同じとなり、内側リング(2)の内周面を見ても、固定ピン(6)の頭部(6b)や溶接部(7)があることはほとんどわからない。
【００２７】
固定ピン(6)の先端部(6b)を内側リング(2)に固定したことにより、内側リング(2)と外側リング(3)も固定される。もし外側リング(3)に力が加わっても、外側リング(3)の通孔(3a)のテーパー部(3b)は固定ピン(6)のテーパー部(6c)と当接して係止されるため外側リング(3)はそれ以上外周側に移動できない。これにより、力が加わっても内側リング(2)と外側リング(3)とが意図せずに分離してしまうことがなくなる。
【００２８】
固定ピン(6)の頭部(6a)は、外側リング(3)の外周側にドーム状に突出する。この部分も研磨して外側リング(3)の表面と面一にすることはできるが、本実施例では意図的に突出した頭部(6a)を残している。露出した頭部(6a)をデザイン上のアクセントとして活かすと共に、母親と胎内の赤ちゃんとを繋ぐ「へその緒」の「へそ」をイメージさせるためである。
【００２９】
母親の指と接している内側リング(2)と、後にベビーリング(30)となる外側リング(3)とを繋いでいるのが固定ピン(6)であり、「へその緒」と同じように母子を繋いでいることから、頭部(6a)も「へそ」をイメージできるデザインにしているのである。固定ピン(6)はプラチナ合金であるので、表面を整えることで美しいワンポイントとなる。
【００３０】
尚、固定ピン(6)による固定箇所は外側リング(3)に取り付けられた装飾部材(4)と約１８０度離れた反対側の箇所、すなわち外側リング(3)の中心に対して装飾部材(4)と対称点となる箇所にした。それは固定ピン(6)による固定作業をする際に装飾部材(4)が近くにあると作業しにくいということもあるが、指輪(1)装着時に固定ピン(6)の頭部(6a)が手のひら側に位置するようにするためでもある。通常、指輪(1)をする際には装飾部材(4)が手の甲側に来るように装着する。すると、反対側に位置する固定ピン(6)の頭部(6a)は手のひら側になる。人間の手の構造から、手の甲を見るより手のひらを見る方が自然な動作となる。ふと手のひらを見たときに、「へその緒」をイメージさせる固定ピン(6)の頭部(6a)が目に入り、将来生まれてくるであろう自分の赤ちゃんを連想し、より幸せや期待を感じることができる。
【００３１】
赤ちゃんが生まれた後に、赤ちゃんの親は指輪(1)を購入したジュエリーショップに連絡してベビーリング(30)への加工を依頼する。依頼を受けたジュエリーショップは外側リング(3)を内側リング(2)から外して、ベビーリング(30)に加工する。図５は、外側リング(3)を取り外す加工の一例を説明する図である。グラインダー、ヤスリなどで固定ピン(6)の頭部(6a)側から外側リング(3)ごと切削し、テーパー部(6c)より内周側まで削り取る。その際には内側リング(2)まで傷つけないように注意する。
【００３２】
切削により固定ピン(6)のテーパー部(6c)と、外側リング(3)のテーパー部(3b)との係合が無くなるので、外側リング(3)を引き上げて固定ピン(6)から抜き取り、内側リング(2)の外周溝(2a)から外すことができる。切削した部分の外側リング(3)は厚みが薄くなっているので、ニッパーなどで切断して外しても良い。
【００３３】
本実施例では、グラインダーで固定ピン(6)の頭部(6a)周辺を切削して外したが、他の方法で外しても良い。例えば図６のように固定ピン(6)の頭部(6a)側からドリルでドリル孔(11)を開けて固定ピン(6)のテーパー部(6c)を削り取っても良い。又、図７に示すように、固定ピン(6)の頭部(6a)の近傍をニッパー，ハサミなどを使って切除しても良い。いずれの場合も固定ピン(6)の頭部(6a)やテーパー部(6c)を切除する作業となるので、この作業は出産の際に「へその緒」を切ることをイメージさせる。
【００３４】
外側リング(3)を外した後には、内側リング(2)の外周溝(2a)には固定ピン(6)の残った部分が露出するので、研磨や溶接などにより外周溝(2a)と面一にする。先述のように固定ピン(6)と内側リング(2)は材質が同じなので、加工後も違和感がない。これにより内側リング(2)は外周に溝を有したデザインのマリッジリングとなる。内側リング(2)の内周面には手を加えないので、刻印(8)が消えてしまうこともない。
【００３５】
図８は内側リング(2)から取り外した外側リング(3)を示した図である。ベビーリングのリング径は小さいので、外側リング(3)のままでは長すぎる。そこで、外側リング(3)を適当な箇所で切断する。図９は切断した外側リング(3)を示した図であり、(31a)，(31b)はその切断面である。
【００３６】
そして、切断面(31a)と切断面(31b)とが面で接するようにハンマーなどで外側リング(3)をリング状に変形させていき、切断面(31a)と切断面(31b)とが接した状態で両者間を溶接し、研磨すれば図１０に示すような小さなベビーリング(30)が完成する。本実施例では日本工業規格（ＪＩＳ）規格のサイズで言えば０号程度のサイズの指輪にした。このベビーリング(30)には、もともと外側リング(3)に付けられていた装飾部材(4)や宝石(5)がそのまま活かされる。
【００３７】
母親が常に身につけていた指輪(1)の一部から作られたベビーリング(30)であるので、母親はベビーリング(30)に自分の分身である赤ちゃんとイメージを重ね合わすことができる。そのため単に後から購入したベビーリングでは得られない想いのこもった記念品とすることができる。
【００３８】
ところで、本発明の指輪には副次的なメリットも生じる。マリッジリングは結婚前に準備することがほとんどであるが、結婚後に新婚夫婦が新居に移転することも多い。そうするとジュエリーショップが結婚後に結婚指輪やエンゲージリングのお手入れ、サイズ直し等のアフターサービスの案内を送ろうとしても、顧客の住所がわからず連絡をとることができないことがままある。本発明によれば、赤ちゃんの出産を機に顧客はマリッジリングの一部をベビーリングに加工する依頼をするので、ジュエリーショップは顧客と再度接触を持つことができる。これによりジュエリーショップは顧客の現在の連絡先などを確認することができ、その後のアフターサービスの案内などをしていくことができる。よって、ジュエリーショップにとっても顧客にとっても都合が良い。
【００３９】
尚、指輪(1)から外側リング(3)を外してベビーリング(30)に加工する費用は当初から指輪の価格に含めておいてもよいし、加工の際に別途加工代金をジュエリーショップに支払うようにしても良い。
【００４０】
もし顧客が希望するならジュエリーショップに依頼して、第二子のために新しい外側リング(3)を今までの内側リング(2)に装着するようにしても良い。これは第一子のベビーリング(30)作成と同時である必要なく、例えば第二子の妊娠がわかった段階に依頼しても良い。また、赤ちゃんとは関係なく、好みの意匠の施された外側リング(3)を取り付けるようにして指輪のデザインの変化を楽しむようにしても良い。
【産業上の利用可能性】
【００４１】
本発明の指輪は、二重のリングからなるマリッジリング等を加工して、その一部をベビーリングとすることができるが、希望があればベビーリングではなく別の目的の指輪に加工しても良い。例えば、子どもが成人した際の記念として、成人した子どもの指のサイズに合わせた成人記念リングに加工するようなことも可能である。もともと外側リング(3)は内側リング(2)に比べて内径が大きいため、成人が使用するリングにも問題なく加工することができる。
【符号の説明】
【００４２】
１    指輪（マリッジリング）
２    内側リング
２ａ  外周溝
２ｂ  通孔
３    外側リング
３ａ  通孔
３ｂ  通孔のテーパー部
４    装飾部材
５    宝石
６    固定ピン
６ａ  固定ピンの頭部
６ｂ  固定ピンの先端部
６ｃ  固定ピンのテーパー部
７    溶接箇所
８    刻印
１１  ドリル孔
３０  ベビーリング
３１ａ  切断面
３１ｂ  切断面
【図１】
2018191808.tif 000003
【図２】
2018191808.tif 000004
【図３】
2018191808.tif 000005
【図４】
2018191808.tif 000006
【図５】
2018191808.tif 000007
【図６】
2018191808.tif 000008
【図７】
2018191808.tif 000009
【図８】
2018191808.tif 000010
【図９】
2018191808.tif 000011
【図１０】
2018191808.tif 000012